(57)【要約】【課題】竪樋が熱伸縮した場合であっても、雨水を確実に排出することができる雨樋構造を提供すること【解決手段】軒先１２に設けられた軒樋１４内の雨水をこの軒樋１４の下方に案内するための竪樋１６と、竪樋１６の下端部１６ｂから流出する雨水を受け且つ受けた雨水により竪樋１６の下端部１６ｂを封鎖するための上部開口３１ａを有する有底筒状の水封部材３０とを備え、竪樋１６の下端部１６ｂが水封部材３０の上部開口３１ａよりも下方に挿入されている雨樋構造１０であって、水封部材３０は、竪樋１６に接続固定される接続部３２を有している。【選択図】図１
2008291505.tif 000002
【特許請求の範囲】
【請求項１】
軒先に設けられた軒樋内の雨水をこの軒樋の下方に案内するための竪樋と、該竪樋の下端部から流出する雨水を受け且つ受けた雨水により前記竪樋の下端部を封鎖するための上部開口を有する有底筒状の水封部材とを備え、前記竪樋の下端部が前記水封部材の上部開口よりも下方に挿入されている雨樋構造であって、
前記水封部材は、前記竪樋に接続固定される接続部を有していることを特徴とする雨樋構造。
【請求項２】
前記水封部材は、底面から下方に延在された複数の脚部を有し、各脚部の間にはこの水封部材からあふれ出た雨水を排出するための間隙が設けられていることを特徴とする請求項１に記載の雨樋構造。
【発明の詳細な説明】
【技術分野】
【０００１】
本発明は、住宅のような建物に設けられるサイフォン式の雨樋構造に関するものである。
【背景技術】
【０００２】
一般的に、例えば住宅の軒先には、屋根から流れ落ちる雨水を受けるための軒樋が設けられている。そして、軒樋内に流入した雨水は、軒樋に接続された竪樋内に流入し、この竪樋内を通って地中に埋設されている排水管に流入するようになっている。
【０００３】
従来、排水管への単位時間当たりの排水量を増加させるために、いわゆるサイフォンの原理を利用した雨樋構造が知られている（例えば、特許文献１参照）。
【０００４】
この雨樋構造では、竪樋の下端部を受け入れる筒状の排水管カバーが排水管に設けられており、排水管カバー内には、竪樋の下端部から流出する雨水を受ける水封部材が配置されている。
【０００５】
この水封部材は、上方が開口した有底筒形状を呈しており、排水管カバーとの間に隙間が保持された状態で排水管カバーに固定されている。
【０００６】
そして、竪樋の下端部は、その流出口が水封部材内に貯留される雨水の最高水位よりも低くなるように水封部材の開口水平面より下方に挿入されている。
【０００７】
これにより、竪樋の流出口から水封部材内に流入した雨水は、水封部材内から溢れ出した後に、この水封部材と排水管カバーとの間を通って排水管内に排出される。
【０００８】
また、水封部材内の水位が竪樋の流出口の位置に達すると、竪樋の流出口が水封部材内の雨水により閉鎖される。このため、軒樋から竪樋内に流入した大量の雨水が竪樋内に溜まってこの竪樋内が満水状態になったとき、軒樋内の雨水が竪樋内に溜まった雨水によって引っ張られる。このようなサイフォン現象が生じることにより、自然落下するときの流速よりも速い速度で軒樋内の雨水を竪樋内に流入させることができる。そのため、雨水を自然落下させることで排水管に排出する場合に比べて、単位時間当たりの排水量を増加させることができる。
【特許文献１】特開２００５−３３０６６６号公報
【発明の開示】
【発明が解決しようとする課題】
【０００９】
ところで、上述の軒樋構造では、竪樋の下端部が水封部材と一体的に固定されることがなく、水封部材内に単にあそびをもって挿入されている。そのため、竪樋が例えばポリ塩化ビニルのように熱伸縮性を有する合成樹脂からなる場合、気温の変動等によって竪樋が軸線方向に伸縮して、下端部の位置が変化し、竪樋と水封部材の下端部との相対位置が変化する。
【００１０】
このため、竪樋の下端部の端面が水封部材の底面に当接し、竪樋の流出口が水封部材の底面によって封鎖されてしまうおそれがあった。
【００１１】
そして、竪樋の流出口が封鎖されると、竪樋から水封部材内に雨水を流出させることができないため、軒樋から竪樋に流出した雨水を排水管に排出することができず、軒樋に流入した雨水が軒樋からあふれてしまうことが考えられる。
【００１２】
そこで、本発明の目的は、竪樋が熱伸縮した場合であっても雨水を確実に排出することができる雨樋構造を提供することにある。
【課題を解決するための手段】
【００１３】
上記課題を解決するために、請求項１に記載の発明は、軒先に設けられた軒樋内の雨水をこの軒樋の下方に案内するための竪樋と、該竪樋の下端部から流出する雨水を受け且つ受けた雨水により前記竪樋の下端部を封鎖するための上部開口を有する有底筒状の水封部材とを備え、前記竪樋の下端部が前記水封部材の上部開口よりも下方に挿入されている雨樋構造であって、前記水封部材は、前記竪樋に接続固定される接続部を有していることを特徴とする。
【００１４】
請求項２に記載の発明は、請求項１に記載の発明において、前記水封部材は、底面から下方に延在された複数の脚部を有し、各脚部の間にはこの水封部材からあふれ出た雨水を排出するための間隙が設けられていることを特徴とする。
【発明の効果】
【００１５】
請求項１に記載の発明によれば、水封部材が接続部を介して竪樋に接続固定されるので、竪樋に熱伸縮が生じた際に、竪樋の伸縮に伴って移動することができる。
【００１６】
そのため、竪樋の下端部との相対位置が変化せず、竪樋の下端部が水封部材の底面に当接することがなくなる。
【００１７】
これにより、竪樋の流出口が封鎖されることがなくなり、竪樋内の雨水を確実に排出することが可能となる。
【００１８】
請求項２に記載の発明によれば、水封部材からあふれた雨水は、この水封部材に設けられた複数の脚部の間を通って排出されるようになっている。そのため、排水管カバーの排出口が小さく、竪樋の熱伸縮に伴って水封部材が移動して排出口の周囲に脚部が当接した場合であっても、雨水を確実に排出することができる。
【発明を実施するための最良の形態】
【００１９】
本発明を図示の実施例に沿って説明する。
【実施例】
【００２０】
本発明に係る雨樋構造１０は、図１に示すように、住宅１１の軒先１２に沿って設けられ、屋根１３から流れ落ちる雨水を受ける軒樋１４と、雨水を地中に埋設された排水管１５に案内するための竪樋１６とを備えている。
【００２１】
竪樋１６は、例えばポリ塩化ビニルのように熱伸縮性を有する樹脂材料で形成された長尺状の筒部材からなり、住宅１１の外壁１１ａに沿って上下方向に伸びるように配置されている。
【００２２】
そして、竪樋１６の上端部１６ａは、図示の例では従来と同様に、呼び樋１９の他端部１９ｂにエルボ継手２０を介して接続されている。なお、この呼び樋１９は、一端部１９ａがＬ字状のエルボ継手１７及び排水ドレン１８を順次介して軒樋１４に接続されている。
【００２３】
また、竪樋１６の下端部１６ｂは、排水管１５に設けられた排水管カバー２１を介して排水管１５に接続されている。
【００２４】
排水管１５は、雨水の流入を受ける流入端部１５ａが上方に開放した状態で埋設されており、この流入端部１５ａには、排水管カバー２１の後述する嵌合端部（排出口）２２ａが嵌合されている。
【００２５】
排水管カバー２１は、竪樋１６の下端部１６ｂを受け入れるカバー本体２２と、カバー本体２２に装着される蓋部材２３とを有している。
【００２６】
カバー本体２２は、両端が開放した円筒形状を呈しており、その一端部に排水管１５の流入端部１５ａと嵌合する嵌合端部２２ａが形成され、他端部に竪樋１６を受け入れる受入端部２２ｂが形成されている。
【００２７】
ここでは、嵌合端部２２ａが受入端部２２ｂよりも小径となっており、嵌合端部２２ａの内径は、後述する水封部材３０の外径よりも小さく形成されている。
【００２８】
蓋部材２３は、カバー本体２２の受入端部２２ｂを覆う円盤形状を呈しており、あそびを持った状態で竪樋１６を挿通可能な挿通孔２３ａがほぼ中心に形成されている。なお、この蓋部材２３の周縁部にはリブ２３ｂが立設され、カバー本体２２の受入端部２２ｂが嵌合した状態で装着するようになっている。
【００２９】
竪樋１６は、その下端部１６ｂが蓋部材２３の挿通孔２３ａを経てカバー本体２２内に挿入されることにより、排水管１５に対して相対移動可能に接続されている。
【００３０】
ここで、竪樋１６のカバー本体２２内への挿入量（挿入長さ）は、例えば気温の変化により竪樋１６が軸線方向に熱伸縮したとしても、カバー本体２２の受入端部２２ｂの開口水平面よりも竪樋１６の下端部１６ｂが上方に位置しない大きさに設定されている。すなわち、竪樋１６の熱伸縮発生時に、カバー本体２２から竪樋１６が抜け出すことが防止されている。
【００３１】
また、挿通孔２３ａが蓋部材２３のほぼ中央に形成されていることから、竪樋１６がカバー本体２２内に挿入された状態では、竪樋１６の軸線とカバー本体２２の軸船とが互いにほぼ一致している。
【００３２】
さらに、本発明に係る雨樋構造１０は、竪樋１６の下端部１６ｂから流出する雨水を受け且つ受けた雨水により竪樋１６の下端部１６ｂを封鎖するための水封部材３０を備えている。
【００３３】
水封部材３０は、図２に示すように、上部開口３１ａを有する有底筒状の水封本体３１と、竪樋１６に接続固定される接続部３２と、水封本体３１の底面３１ｂから下方に延在された複数の脚部３３とを有している。
【００３４】
水封本体３１は、カバー本体２２の内径よりも小さく、竪樋１６の外径よりも大きい円筒形状を呈しており、竪樋１６の下端部１６ｂが挿入された状態でカバー本体２２の内部に配置可能となっている（図４参照）。
【００３５】
ここで、水封本体３１は、例えば気温の変化により竪樋１６が軸線方向に熱伸縮したとしても、カバー本体２２の受入端部２２ｂの開口水平面よりも上部開口３１ａが上方に位置しない大きさに設定されている。すなわち、竪樋１６の熱伸縮発生時に、カバー本体２２から水封部材３０が抜け出すことが防止されている。
【００３６】
接続部３２は、水封本体３１の上部開口３１ａの周縁部から互いに中心に向かって延びる一対の腕部３２ａと、この一対の腕部３２ａに一体にされて上部開口３１ａのほぼ中心に位置する挿入環３２ｂとを有している。
【００３７】
ここで、一対の腕部３２ａは、上部開口３１ａを閉塞しない大きさに設定されており、各腕部３２ａと上部開口３１ａとの間には排水可能な間隙があいている。
【００３８】
挿入環３２ｂは、竪樋１６が挿入されると共に、その外周面に密着固定可能な内径となっており、ここでは、竪樋１６の下端部１６ｂが嵌合挿入されて固定されている。これにより、竪樋１６の熱伸縮に伴って水封部材３０が移動するようになっている。
【００３９】
また、挿入環３２ｂを介して挿入される竪樋１６の下端部１６ｂの挿入量（挿入長さ）は、上部開口３１ａの開口水平面よりも下端部１６ｂの開放端が下方に位置すると共に、水封本体３１の底面３１ｂとこの開放端との間に間隙をあけた状態となる大きさに設定されている。
【００４０】
複数の脚部３３は、ここでは一対形成され、水封本体３１の周縁部から突出している。そして、この一対の脚部３３の間には、水封本体３１からあふれ出た雨水を排出するための間隙３４が設けられている。
【００４１】
次に、本発明の雨樋構造１０の作用について説明する。
【００４２】
住宅１１の屋根１３に沿って流れ落ちた雨水は、軒先１２に設けられた軒樋１４から排水ドレン１８、エルボ継手１７、呼び樋１９、エルボ継手２０を経て竪樋１６内に流入する。そして、この雨水は竪樋１６を流下し、図４において矢印で示すように、竪樋１６の下端部１６ｂから水封部材３０の水封本体３１内に流入する。なお、この竪樋１６の下端部１６ｂは、水封本体３１の底面３１ｂとの間に間隙をあけた状態となっており、雨水は確実に水封本体３１内に流入するようになっている。
【００４３】
水封本体３１内に流入した雨水は、水封本体３１を満たした後に上部開口３１ａからあふれ出し、排水管カバー２１内に流出する。
【００４４】
なお、水封部材３０の上部開口３１ａの周縁部には接続部３２の腕部３２ａが設けられているが、雨水はこの腕部３２ａの間を通ってあふれ出るようになっている。
【００４５】
またここで、竪樋１６の下端部１６ｂは、開放端が水封部材３０の上部開口３１ａの開口水平面よりも下方に位置しているので、水封本体３１を満たした雨水によって竪樋１６の下端部１６ｂが閉鎖されることとなる。
【００４６】
一方、排水管カバー２２内に流出した雨水は、水封部材３０の脚部３３と排水管カバー２２との間を通り、排水管カバー２２の嵌合端部２２ａから排水管１５に排出されるようになっている。
【００４７】
そして、軒樋１４から竪樋１６に大量の雨水が流入した場合のように、水封部材３０への単位時間当たりの流入量が水封部材３０からの単位時間当たりの流出量よりも多い場合、竪樋１６から水封部材３０に流入した雨水の大部分は、水封部材３０から溢れ出すことなく竪樋１６内に溜まり、さらに呼び樋１９及び各エルボ継手１７、２０内に溜まる。これにより、竪樋１６、呼び樋１９及び各エルボ継手１７、２０内がそれぞれ満水状態になったとき、それらの内部に溜まった雨水によって軒樋１４内の雨水が下方に引っ張られる。このような所謂サイフォン現象が生じることにより、軒樋１４内の雨水は、自然落下するときよりも速い流速で竪樋１６内を流下することができる。
【００４８】
また、例えば気温の変動により、竪樋１６がその軸線方向に熱伸縮し、下端部１６ｂの位置が変化したとき、水封部材３０は接続部３２を介して竪樋１６の下端部１６ｂに固定されているので、竪樋１６と水封部材３０とは一体的に移動する。
【００４９】
これにより、竪樋１６が伸縮したとしても、この竪樋１６の下端部１６ｂが水封部材３０の底面３１ｂに当接することはなく、竪樋１６の下端部１６ｂの開放端が水封部材３０の底面３１ｂよってふさがれることはない。
【００５０】
したがって、竪樋１６が熱伸縮した場合であっても、軒樋１４から竪樋１６内に流入した雨水を竪樋１６から排水管１５に水封部材３０を介して確実に排出することができる。
【００５１】
また、水封部材３０の底面３１ｂから一対の脚部３３が延在されると共に、この脚部３３間に間隙３４が設けられているので、竪樋１６の熱伸縮に伴って水封部材３０が移動し、カバー本体２２の嵌合端部２２ａの周囲に脚部３３が当接した場合であっても、間隙３４を通って雨水が確実に排出するようになっている。
【００５２】
以上説明したように、本発明の雨樋構造１０では、水封部材３０が接続部３２を介して竪樋１６の下端部１６ｂに固定されているので、竪樋１６の熱伸縮に伴って、この竪樋１６と一体的に移動することが可能となっている。
【００５３】
そのため、竪樋１６の下端部１６ｂが水封部材３０の底面３１ｂに当接することが防止され、この下端部１６ｂがふさがれることがなくなる。これにより、軒樋１４内の雨水を、竪樋１６から水封部材３０を介して排水管１５に確実に排出することができる。
【００５４】
なお、本実施例では、水封部材３０を竪樋１６に固定する接続部３２が、一対の腕部３２ａ及び挿入環３２ｂを有し、竪樋１６が挿入環３２ｂに嵌合挿入されることで固定されているが、これに代えて、水封部材３０内からの雨水の流出を妨げることなく水封部材３０を竪樋１６の下端部１６ｂに接続することができる構成であれば、本実施例に示した接続部３２以外の接続部を本発明に適用することができる。
【００５５】
また、本実施例では、本発明に係る雨樋構造１０を住宅１１に適用した例を示したが、これに代えて、住宅１１以外の建物に本発明を適用することができる。
【図面の簡単な説明】
【００５６】
【図１】本発明に係る雨樋構造を概略的に示す側面図である。
【図２】本発明に係る水封部材を示した斜視図である。
【図３】本発明に係る水封部材を竪樋に接続した状態を示す斜視図である。
【図４】本発明に係る雨樋構造の要部を拡大した断面図である。
【符号の説明】
【００５７】
１０      雨樋構造
１２      軒先
１４      軒樋
１６      竪樋
１６ｂ    下端部
３０      水封部材
３１ａ    上部開口
３２      接続部
【図１】
2008291505.tif 000003
【図２】
2008291505.tif 000004
【図３】
2008291505.tif 000005
【図４】
2008291505.tif 000006